(57)【要約】【課題】既存の腕時計のバンドに対して、簡単に取り付けて、装飾性を付与することができる、腕時計におけるバンド用のアクセサリーを提供する。【解決手段】本考案に係る腕時計におけるバンド用のアクセサリーは、筒枠状に形成したアクセサリー本体において、アクセサリー本体の一端側を装飾部とし、アクセサリー本体の他端側に切欠挿入部を設け、この切欠挿入部を介して、アクセサリー本体を腕時計のバンドに装着するものである。また、アクセサリー本体は、板状の装飾部と、装飾部の両端から下方に延設した側壁部と、両側壁部の下端それぞれから互いに内向に延設した係止片により形成されている。さらに、アクセサリー本体は、左右一対の係止片の間に存在する空間を、切欠挿入部としている。【選択図】図１
0003149627.tif 000002
【実用新案登録請求の範囲】
【請求項１】
筒枠状に形成したアクセサリー本体において、アクセサリー本体の一端側を装飾部とし、アクセサリー本体の他端側に切欠挿入部を設け、この切欠挿入部を介して、アクセサリー本体を腕時計のバンドに装着することを特徴とする腕時計におけるバンド用のアクセサリー。
【請求項２】
アクセサリー本体は、板状の装飾部と、装飾部の両端から下方に延設した側壁部と、両側壁部の下端それぞれから互いに内向に延設した係止片により形成されている請求項１に記載の腕時計におけるバンド用のアクセサリー。
【請求項３】
アクセサリー本体は、左右一対の係止片の間に存在する空間を、切欠挿入部としている請求項２に記載の腕時計におけるバンド用のアクセサリー。
【請求項４】
アクセサリー本体の切欠挿入部は、アクセサリー本体の中央から、若干ずらして形成されている請求項１または３に記載の腕時計におけるバンド用のアクセサリー。
【請求項５】
アクセサリー本体の左右一対の係止片は、それぞれの長さが互いに異なっている請求項２または３に記載の腕時計におけるバンド用のアクセサリー。
【請求項６】
アクセサリー本体の装飾部には、イミテーションを含む宝石を取り付けたり、また、彫金を施している請求項１または２に記載の腕時計におけるバンド用のアクセサリー。
【請求項７】
留め構造を有する一方の腕時計のバンドに、切欠挿入部を介してアクセサリー本体を装着し、留め構造によって固定された他方のバンドの余った部分を、アクセサリー本体内に挿通可能にしている請求項１乃至６のいずれかに記載の腕時計におけるバンド用のアクセサリー。
【考案の詳細な説明】
【技術分野】
【０００１】
本考案は、腕時計のバンドに簡単に取り付けることができ、また、バンドからの取り外しも容易である、装飾性を有する腕時計におけるバンド用のアクセサリーに関するものである。
【背景技術】
【０００２】
従来より、腕時計のバンドとして、種々のものが存在する。
【０００３】
例えば、バンドにおける両端部同士の留め構造として、一方のバンドの端部に、略コ字枠状の留め枠を取り付け、留め枠の内側に位置しているバンドの端部の中央に、突棒を回動可能に軸着しているものがある。
【０００４】
この突棒は、留め枠における中央の側面に係止するように構成されている。また、他方側のバンドには、突棒の先端部を挿入するための小孔が、等間隔に複数設けられている。
【０００５】
さらに、留め構造により連結された他方側のバンドの余った部分を挿通して保持するための輪として、一方のバンドに、可動式の遊革や、固定式の定革が取り付けられている。
【０００６】
このような構成の腕時計のバンドを手首近辺に巻回し、バンドの両端部同士を留める場合には、一方のバンドの端部に取り付けている留め枠に、他方のバンドの端部を通してから、手首にフィットする好ましい位置において、他方側のバンドに設けられている小孔に突棒の先端部を挿入し、この小孔への挿入状態を維持しながら、突棒の先端部を留め枠に係止させている。
【０００７】
また、他方側のバンドの端部は、遊革や定革に通すことにより、一方のバンドに重なり合うようにして保持される。
【考案の概要】
【考案が解決しようとする課題】
【０００８】
しかしながら、従来の腕時計のバンドにおける遊革や定革は、バンド自体と同色、同素材である、例えば、皮革や布素材の物が殆どであり、遊革や定革自身が、独自の装飾性を備えるものではなかった。
【０００９】
また、遊革や定革は、所定の長さの皮革や布素材を、接着剤を用いたり、若しくは、縫合等の手段により輪状に形成していることから、単にバンドの余った部分を通して保持するだけの機能しかなく、装飾性を備えたアクセサリーとしての機能は全く存在していなかった。
【００１０】
しかも、このような皮革や布素材を用いて製作した遊革や定革は、構造的にも弱いものになり易かった。
【００１１】
加えて、腕時計は、それ自体が製造元で完成されたデザインであり、その完成されたデザインに何かを付け加えることは、いわば改造品を製作することとなり、その後のメンテナンスが受けられなくなる等の弊害が生じる。
【００１２】
この他、腕時計のバンド自体についても、素材の選択や色の選択ができる程度で、腕時計を身に付ける者の個性を充分に表現することができず、他に個性を表現する手段が用意されていないのが実情である。
【００１３】
そこで、本考案は、如上のような従来存した諸事情に鑑み創出されたもので、既存の腕時計のバンドに対して、簡単に取り付けて、装飾性を付与することができる、腕時計におけるバンド用のアクセサリーを提供することを目的とする。
【課題を解決するための手段】
【００１４】
本考案に係る腕時計におけるバンド用のアクセサリーは、筒枠状に形成したアクセサリー本体において、アクセサリー本体の一端側を装飾部とし、アクセサリー本体の他端側に切欠挿入部を設け、この切欠挿入部を介して、アクセサリー本体を腕時計のバンドに装着することで、上述した課題を解決した。
【００１５】
また、アクセサリー本体は、板状の装飾部と、装飾部の両端から下方に延設した側壁部と、両側壁部の下端それぞれから互いに内向に延設した係止片により形成されていることで、同じく上述した課題を解決した。
【００１６】
さらに、アクセサリー本体は、左右一対の係止片の間に存在する空間を、切欠挿入部としていることで、同じく上述した課題を解決した。
【００１７】
また、アクセサリー本体の切欠挿入部は、アクセサリー本体の中央から、若干ずらして形成されていることで、同じく上述した課題を解決した。
【００１８】
加えて、アクセサリー本体の左右一対の係止片は、それぞれの長さが互いに異なっていることで、同じく上述した課題を解決した。
【００１９】
また、アクセサリー本体の装飾部には、イミテーションを含む宝石を取り付けたり、また、彫金を施していることで、同じく上述した課題を解決した。
【００２０】
この他、留め構造を有する一方の腕時計のバンドに、切欠挿入部を介してアクセサリー本体を装着し、留め構造によって固定された他方のバンドの余った部分を、アクセサリー本体内に挿通可能にしていることで、同じく上述した課題を解決した。
【考案の効果】
【００２１】
本考案に係る腕時計におけるバンド用のアクセサリーは、筒枠状に形成したアクセサリー本体において、アクセサリー本体の一端側を装飾部とし、アクセサリー本体の他端側に切欠挿入部を設け、この切欠挿入部を介して、アクセサリー本体を腕時計のバンドに装着することから、既存の腕時計のバンドに対して、アクセサリー本体を簡単に取り付けることができ、また、バンドからの取り外しも容易である、
【００２２】
そして、既存の腕時計のバンドにアクセサリー本体を取り付けたときには、腕時計のバンドに装飾性を付与し、腕時計を身に付ける者の個性を充分に表現することができる。
【００２３】
また、既存の腕時計のバンドに、アクセサリー本体を簡単に取り付けて、また、バンドからの取り外しも容易であることから、腕時計自体の改造品を製作することには該当せず、その後のメンテナンスが受けられなくなる等の弊害も回避することができる。
【００２４】
さらに、製作者側においては、腕時計のバンドの種類に依存することなく、アクセサリー本体を装飾品単体として、製作することができる。
【００２５】
また、消費者側においては、数多く存在する腕時計の中から、好きな腕時計を自由に選択し、その腕時計のバンドに装飾性を付与し、腕時計を身に付ける者の個性を充分に表現して楽しむことができる。
【００２６】
加えて、アクセサリー本体は、板状の装飾部と、装飾部の両端から下方に延設した側壁部と、両側壁部の下端それぞれから互いに内向に延設した係止片により形成されていることから、比較的にシンプルな構成により、腕時計のバンドに装飾性を付与することができる。
【００２７】
また、アクセサリー本体は、左右一対の係止片の間に存在する空間を、切欠挿入部としていることから、この切欠挿入部を介して、既存の腕時計のバンドに、アクセサリー本体を簡単に取り付けることができ、また、バンドから容易に取り外すことができる。
【００２８】
この他、アクセサリー本体の切欠挿入部は、アクセサリー本体の中央から、若干ずらして形成されていることから、アクセサリー本体の形状に変化を与えて、アクセサリー本体の装飾性を向上させることができる。
【００２９】
また、アクセサリー本体の左右一対の係止片は、それぞれの長さが互いに異なっていることから、腕時計のバンドへの取り付けに際し、一方側の長めの係止片を、先ず、バンドの一側面に係架させてから、他方側の短めの係止片を、バンドの他側面に係架させることにより、アクセサリー本体を既存の腕時計のバンドに簡単に取り付けることができる。
【００３０】
さらに、アクセサリー本体の装飾部には、イミテーションを含む宝石を取り付けたり、彫金を施していることから、アクセサリー本体の装飾性や宝飾性を、より一層向上させることができる。
【００３１】
また、アクセサリー本体の装飾部に、より凝った意匠性を付与することにより、全ての製造元における時計に対し、体応できる物となる。
【００３２】
この他、留め構造を有する一方の腕時計のバンドに、切欠挿入部を介してアクセサリー本体を装着し、留め構造によって固定された他方のバンドの余った部分を、アクセサリー本体内に挿通可能にしていることから、一方側のバンドと他方側のバンドが重なり合った状態を確実に保持することができる。
【図面の簡単な説明】
【００３３】
【図１】アクセサリー本体の構成を示す斜視図である。
【図２】アクセサリー本体を取り付けている腕時計のバンドを、表側から見た状態の斜視図である。
【図３】アクセサリー本体を取り付けている腕時計のバンドを、裏側から見た状態の斜視図である。
【図４】アクセサリー本体の装飾部の具体例を、（ａ）乃至（ｅ）に個別に示した斜視図である。
【図５】アクセサリー本体を腕時計のバンドに取り付ける過程を示すもので、（ａ）は一方側の係止片をバンドの一側面に係架させた状態の斜視図、（ｂ）はアクセサリー本体を一方側の係止片を支点にして回し、他方側の係止片をバンドの他側面に係架させる直前の状態の斜視図、（ｃ）は他方側の係止片をバンドの他側面に係架させた状態の斜視図である。
【図６】アクセサリー本体をバンドに取り付けている腕時計を、手首近辺に装用している状態を示す斜視図である。
【図７】アクセサリー本体をバンドに取り付けている部分の、拡大した斜視図である。
【図８】アクセサリー本体の他の構成を示す斜視図である。
【図９】他の構成のアクセサリー本体を取り付けている腕時計のバンドを、表側から見た状態の斜視図である。
【図１０】他の構成のアクセサリー本体を取り付けている腕時計のバンドを、裏側から見た状態の斜視図である。
【図１１】他の構成のアクセサリー本体を腕時計のバンドに取り付ける過程を示すもので、（ａ）は一方側の長めの係止片をバンドの一側面に係架させた状態の斜視図、（ｂ）はアクセサリー本体を長めの係止片を支点にして回し、他方側の短めの係止片をバンドの他側面に係架させる直前の状態の斜視図、（ｃ）は他方側の短めの係止片をバンドの他側面に係架させた状態の斜視図である。
【考案を実施するための形態】
【００３４】
以下に、本考案を実施するための形態を、図面を参照して詳細に説明する。
【００３５】
本考案に係る腕時計におけるバンド用のアクセサリーは、図１に示すように、矩形の筒枠状に形成したアクセサリー本体Ｐにより構成されている。
【００３６】
このアクセサリー本体Ｐは、その一端側を装飾部１とする一方、アクセサリー本体Ｐの他端側に、切欠挿入部２を設けている。切欠挿入部２は、図１・図３に示すように、腕時計のバンドＶの幅よりも小さい空間を有するように形成されており、図２に示すように、この切欠挿入部２を介して、アクセサリー本体Ｐを腕時計のバンドＶに装着するのである。
【００３７】
また、アクセサリー本体Ｐは、図１に示すように、上側に位置する薄板の長方形状に形成された装飾部１と、装飾部の両端から下方に延設した側壁部３と、両側壁部３の下端それぞれから互いに内向に延設した係止片４，５により形成されている。
【００３８】
そして、アクセサリー本体Ｐは、左右一対の係止片４，５の間に存在する空間を、切欠挿入部２としている。また、左右一対の側壁部３は、腕時計のバンドＶが重なった厚みに略合致する高さを有するように形成されている。
【００３９】
この図１に示すアクセサリー本体Ｐは、係止片４，５がそれぞれ同一の長さに形成されており、また、切欠挿入部２が、アクセサリー本体Ｐの中央に位置している。
【００４０】
このようなアクセサリー本体Ｐの作製においては、長方形状の板片を折曲するプレス加工等の手段を用いて、所定の長さの装飾部１と、装飾部１の両端から下方に延設した側壁部３と、両側壁部３の下端それぞれから互いに内向に延設した左右一対の係止片４，５を設けている。
【００４１】
この他、矩形の筒枠状のアクセサリー本体Ｐを鋳型等で一体成形した後に、アクセサリー本体Ｐに対して、バンドＶの幅よりも小さい空間を有する切欠挿入部２を、レーザーカット等の方法によってカット形成しても良い。
【００４２】
また、所定の長さの装飾部１に対して、溶接等の手段を用いて、側壁部３と係止片４，５をそれぞれ付設しても良い。
【００４３】
アクセサリー本体Ｐを形成する材質としては、装飾部１に彫金を施すことが可能な金、銀、プラチナ等の地金類を用いることが好ましいが、これに限らず、合成樹脂等によりアクセサリー本体Ｐを作成しても良い。
【００４４】
また、アクセサリー本体Ｐの装飾部１に、種々の宝石類を取り付けると、アクセサリー本体Ｐの装飾性が向上するものとなる。
【００４５】
宝石類としては、例えば、ダイヤモンド、サファイア、ルビー、トパーズ、ガーネット、ペリドット、オパール、水晶、翡翠、サンゴ、トルコ石、真珠等の貴石、半貴石等があるが、これに限らず、イミテーションとしての、例えば、人工石、ガラス、合成樹脂等であっても良い。
【００４６】
さらに、アクセサリー本体Ｐの装飾部１には、彫金を施すことにより、アクセサリー本体Ｐの装飾性が向上するものとなる。
【００４７】
彫金としては、例えば、図４（ａ）に示すように、ダイヤモンドのクラウン・テーブル面を模った模様、図４（ｂ）に示すように、ダイヤモンドのクラウン・テーブル面の両側に波形や唐草模様等のモザイクを模った模様、図４（ｃ）に示すように、サファイア、ルビー、トパーズ、ガーネット、ペリドット、オパール、水晶、翡翠、サンゴ、トルコ石、真珠等の矩形状の貴石を縦横に並設したもの、図４（ｄ）に示すように、装飾部１自体を湾曲状に形成し、ダイヤモンドのクラウン・テーブル面を模った模様、図４（ｅ）に示すように、西洋風やローマ風等のモザイクを模ったもの等がある。
【００４８】
次に、以上のように構成されたアクセサリー本体Ｐについて、使用の一例を説明する。
【００４９】
アクセサリー本体Ｐを取り付ける腕時計自体は、例えば、図２・図３に示すように、バンドＶにおける両端部同士の留め構造Ｑとして、一方のバンドＶの端部に、略コ字枠状の留め枠Ｑ１を取り付け、留め枠Ｑ１の内側に位置しているバンドＶの端部の中央に、突棒Ｑ２を回動可能に軸着している。
【００５０】
この突棒Ｑ２は、留め枠Ｑ１における中央の側面に係止するように構成されている。また、他方側のバンドＶには、突棒Ｑ２の先端部を挿入するための小孔（図示せず）が、等間隔に複数設けられている。
【００５１】
さらに、留め枠Ｑ１により連結された他方側のバンドＶの余った部分を挿通して保持するための輪として、一方のバンドＶに、可動式の遊革Ｒ１や、固定式の定革Ｒ２が取り付けられている。
【００５２】
このような腕時計のバンドＶにアクセサリー本体Ｐを取り付けるときは、先ず、図５（ａ）に示すように、切欠挿入部２を介して、バンドＶの一部をアクセサリー本体Ｐ内に配置し、一方側の係止片４をバンドＶの裏面側に係架させて、アクセサリー本体Ｐを立てた状態にする。
【００５３】
次に、図５（ｂ）に示すように、一方側の係止片４を支点として、アクセサリー本体ＰをバンドＶの表面側に回転させて、アクセサリー本体Ｐを水平状態にして行き、最終的に図５（ｃ）に示すように、他方側の係止片５を、バンドＶの裏面側に係架させて、アクセサリー本体ＰをバンドＶに取り付けるのである。
【００５４】
そして、図６に示すように、アクセサリー本体Ｐを取り付けている腕時計のバンドＶを手首近辺に巻回し、一方のバンドＶの端部に取り付けている留め枠Ｑ１に、他方のバンドＶの端部を通してから、手首にフィットする好ましい位置において、他方側のバンドＶに設けられている小孔に突棒Ｑ２の先端部を挿入し、この小孔への挿入状態を維持しながら、突棒Ｑ２の先端部を留め枠Ｑ１に係止させる。
【００５５】
最後に、図６・図７に示すように、他方のバンドＶを遊革Ｒ１や定革Ｒ２に通し、他方のバンドＶの先端側部分を、アクセサリー本体Ｐの筒枠内に入れるのである。
【００５６】
この他、図８乃至図１１には、本考案に係るアクセサリー本体Ｐの他の構成例が示されている。
【００５７】
具体的には、図８・図１０に示すように、アクセサリー本体Ｐの切欠挿入部２を、アクセサリー本体Ｐの中央から若干ずらすようにして形成している。また、左右一対の係止片４，５において、一方の係止片４を長くし、他方の係止片５を短くして、それぞれの係止片４，５の長さを異なるものとしている。
【００５８】
このようなアクセサリー本体Ｐを腕時計のバンドＶに取り付けるときは、先ず、図１１（ａ）に示すように、切欠挿入部２を介して、バンドＶの一部をアクセサリー本体Ｐ内に配置し、一方側の長い係止片４をバンドＶの裏面側に係架させて、アクセサリー本体Ｐを立てた状態にする。
【００５９】
次に、図１1（ｂ）に示すように、一方側の長い係止片４を支点として、アクセサリー本体ＰをバンドＶの表面側に回転させて、アクセサリー本体Ｐを水平状態にして行き、最終的に図９・図１０・図１１（ｃ）に示すように、他方側の短い係止片５を、バンドＶの裏面側に係架させて、アクセサリー本体ＰをバンドＶに取り付けるのである。
【産業上の利用可能性】
【００６０】
本考案に係る腕時計におけるバンド用のアクセサリーは、種々の装飾用のバンドにも利用することができる。また、アクセサリー本体の一部を、緊急時の連絡先を表示するための表示板として使用したり、薬等の保管用のケースとして使用する等、使用者にとっては、様々な用途に幅広く応用することができる。
【符号の説明】
【００６１】
Ｐ…アクセサリー本体
Ｑ…留め構造
Ｑ１…留め枠
Ｑ２…突棒
Ｒ１…遊革
Ｒ２…定革
１…装飾部
２…切欠挿入部
３…側壁部
４…係止片
５…係止片
【図１】
0003149627.tif 000003
【図２】
0003149627.tif 000004
【図３】
0003149627.tif 000005
【図４】
0003149627.tif 000006
【図５】
0003149627.tif 000007
【図６】
0003149627.tif 000008
【図７】
0003149627.tif 000009
【図８】
0003149627.tif 000010
【図９】
0003149627.tif 000011
【図１０】
0003149627.tif 000012
【図１１】
0003149627.tif 000013